(57)【要約】【課題】遊技客が希望するプリペイドカードの購入枚数が１枚ではなく複数枚の場合であっても、１回のデビット決済操作により複数枚のプリペイドカードの発行を可能とするプリペイドカード発行システムを提供する。【解決手段】カード発行機４０に、プリペイドカードの発行金額を設定する選択ボタン４７と、プリペイドカードの発行枚数を指定可能な一括発行ボタン４８と、選択ボタン４７により選択された発行金額および一括発行ボタン４８により指定された発行枚数に基づいて、デビット決済に伴う決済処理金額を算出するカード発行金額算出部５５とを備える。【選択図】      図３
2004265316.tif 000002
【特許請求の範囲】
【請求項１】
記録媒体であるプリペイドカードの発行をおこなうプリペイドカード発行機と、デビットカードの受け入れ時に、当該デビットカードに関連付けられたカード情報を読み取るカード情報処理手段を有するとともに、当該カード情報処理手段により取得したカード情報に基づいてデビット決済に係わるデビット決済処理をおこなうデビット決済処理装置とを備えたプリペイドカード発行システムであって、
前記プリペイドカード発行機は、プリペイドカードに関連付けられた所定分の有価価値を発行金額として選択可能な発行金額選択手段と、
前記プリペイドカードの発行枚数を任意に指定可能な発行枚数指定手段と、
前記発行金額選択手段により選択された発行金額および前記発行枚数指定手段により指定された発行枚数に基づいて、前記デビット決済に伴う決済要求金額を算出する決済要求金額算出手段と、
を備えたことを特徴とするプリペイドカード発行システム。
【請求項２】
前記発行枚数指定手段は、所定の複数枚数分のプリペイドカードを一括して発行可能な一括発行処理機能を備えていることを特徴とする請求項１に記載のプリペイドカード発行システム。
【請求項３】
前記発行金額選択手段は、プリペイドカードに対する発行枚数を指定する発行枚数指定機能をさらに備えるとともに、前記発行金額選択手段に対する選択回数を記憶する選択回数記憶手段をさらに備え、当該選択回数記憶手段に記憶された選択回数を最終的なプリペイドカードの発行枚数として設定することを特徴とする請求項１または２に記載のプリペイドカード発行システム。
【請求項４】
前記発行金額選択手段により指定されたプリペイドカードの発行枚数を、最終的な発行枚数として設定する発行枚数設定手段をさらに備えることを特徴とする請求項３に記載のプリペイドカード発行システム。
【請求項５】
前記発行金額選択手段により選択されたプリペイドカードの発行金額および前記発行枚数指定手段により指定されたプリペイドカードの発行枚数を、操作にともなって順次表示する表示手段をさらに備えることを特徴とする請求項１から４のいずれか一つに記載のプリペイドカード発行システム。
【請求項６】
前記表示手段は、前記発行金額選択手段により選択されたプリペイドカードの発行金額および前記発行枚数指定手段により指定されたプリペイドカードの発行枚数に基づいて、算出した合計発行金額を決済要求金額として表示する機能をさらに備えたことを特徴とする請求項５に記載のプリペイドカード発行システム。
【発明の詳細な説明】
【０００１】
【発明の属する技術分野】
本発明は、デビット決済によりプリペイドカードを発行するプリペイドカード発行システムに関し、特に１回のデビット決済で複数枚のプリペイドカードを一括して発行することができるプリペイドカード発行システムに関する。
【０００２】
【従来の技術】
現在、パチンコ機などの遊技機を設置した遊技店で遊技をおこなう場合には、カード発行機から一旦記録媒体（例えば、プリペイドカード）を購入し、このプリペイドカードに付与された有価価値（購入金額）に応じて遊技媒体（例えば、パチンコ玉）を借り受けるプリペイドカードを使用したプリペイドカード発行システムが主流である。
【０００３】
ここで、遊技客が新規のプリペイドカードの購入をおこなう際、現金の持ち合わせが無い場合には、その都度銀行に行って現金を引き出してくる等の手間や不都合がある。このため、現在では、遊技ホール内にデビット決済用のデビット端末を設置し、デビットカード（銀行や郵便局などで使用するキャッシュカード）を用いるデビット決済により遊技客の希望金額分のプリペイドカードを発行するデビット決済によるプリペイドカード発行システムが考案されている。このプリペイドカード発行システムによると、遊技客がデビットカードを使用して自身の口座から購入したプリペイドカードの有価価値分の引き落としをおこなってプリペイドカードを発行し、このプリペイドカードを使用してパチンコ玉を借り受けて遊技をおこなうことができる。
【０００４】
ところで、上述したように、この種のデビット決済によるプリペイドカード発行システムにおいて、遊技客がデビットカードによってプリペイドカードを購入した場合には、デビット決済にともない所定の手数料が生じるものとなる。すなわち、遊技客はデビット決済時に銀行口座とデビットカード取扱店舗の銀行口座との間に介在する仲介機関、例えばクリアリングセンタや情報処理センタ等に対して所定の手数料（例えば、下限額１２０円、上限額２１０円、その他処理額の２％）を支払う必要がある。
【０００５】
そして、上述した手数料に関しては、現在のところ遊技店が全額を負担するのが一般的であり、プリペイドカードの代金が遊技店の口座に振り込まれる際に上記手数料が差し引かれている。しかしながら、デビットカードの取り扱いが増えれば、その分だけ遊技店の負担増を招くことになる。かといって手数料を一方的に遊技客に負担させた場合には、いくらデビットカードによって利便性が向上するとはいえ、遊技客の遊技意欲を損なうことにもなりかねず、遊技店の売り上げに多大な影響を及ぼす虞れがある。
【０００６】
このため、上述のような、手数料に関する問題を解決する従来技術として、遊技店に対する遊技客の利用状況（来店回数）や遊技客が会員などの場合に、手数料の割り引き条件を設定することにより、遊技客が負担する手数料を軽減したものなどが提案されている（例えば、特許文献１参照）。
【０００７】
【特許文献１】
特願２００２−５３１４号公報
【０００８】
【発明が解決しようとする課題】
ところが、上述した従来のデビット決済によるプリペイドカード発行システムの場合には、以下のような問題がある。すなわち、前述したように、デビットカードは利便性の点では有効であるが、デビット決済に伴い所定の手数料が発生する。さらに、遊技客が１枚ではなく、複数枚のプリペイドカードを購入する場合には、その都度、手数料が加算されてしまうという問題がある。具体的に説明すると、１００００円のプリペイドカードを１枚購入する場合を考えると、手数料を２％とすると、その手数料は２００円（１００００円×０．０２）がかかるものとなる。そして、２００００円分のプリペイドカードを購入する場合には、１００００円のプリペイドカードを２回のデビット決済により購入するものとなるため、その手数料は、４００円（１００００円×０．０２×２回）となる。以上のように、従来では、複数枚のプリペイドカードを購入する場合に、デビット決済による手数料も増えるため、遊技客の負担増を招くという問題があった。
【０００９】
また、従来の場合には、プリペイドカードの購入の都度に、暗証番号の入力操作を繰り返しておこなう必要が生じるため、周囲の人に暗証番号をのぞかれる可能性が高くなり、安全性の面でも問題がある。また、１枚のプリペイドカードを購入する都度、キャッシュカードの挿入、暗証番号の入力、デビット決済完了通知に要する手間があるため、デビット決済時の操作が煩雑となり、カード発行機による発行処理が混雑するなど、遊技店全体の稼動状況に悪影響を及ぼすという問題がある。尚、２００００円や５００００円など高額のプリペイドカードを設定することが考えられるが、この場合には、購入した高額のプリペイドカードを失くした時の損失や、偽造カードによる遊技店やカード会社が被る被害などを考えると好ましい対策とはいえない。
【００１０】
この発明は、上述した従来技術による問題点を解決するためになされたもので、複数枚のプリペイドカードを１回のデビットカード決済により発行することができるデビット決済によるプリペイドカード発行システムに関する。
【００１１】
【課題を解決するための手段】
上記目的を達成するために、請求項１記載の発明は、記録媒体であるプリペイドカードの発行をおこなうプリペイドカード発行機と、デビットカードの受け入れ時に、当該デビットカードに関連付けられたカード情報を読み取るカード情報処理手段を有するとともに、当該カード情報処理手段により取得したカード情報に基づいてデビット決済に係わるデビット決済処理をおこなうデビット決済処理装置とを備えたプリペイドカード発行システムであって、前記プリペイドカード発行機は、プリペイドカードに関連付けられた所定分の有価価値を発行金額として選択可能な発行金額選択手段と、前記プリペイドカードの発行枚数を任意に指定可能な発行枚数指定手段と、前記発行金額選択手段により選択された発行金額および前記発行枚数指定手段により指定された発行枚数に基づいて、前記デビット決済に伴う決済要求金額を算出する決済要求金額算出手段と、を備えたことを特徴とする。
【００１２】
また、請求項２に係る発明は、請求項１に記載の発明において、前記発行枚数指定手段は、所定の複数枚数分のプリペイドカードを一括して発行可能な一括発行処理機能を備えていることを特徴とする。
【００１３】
また、請求項３に係る発明は、請求項１または２に記載の発明において、前記発行金額選択手段は、プリペイドカードに対する発行枚数を指定する発行枚数指定機能をさらに備えるとともに、前記発行金額選択手段に対する選択回数を記憶する選択回数記憶手段をさらに備え、当該選択回数記憶手段に記憶された選択回数を最終的なプリペイドカードの発行枚数として設定することを特徴とする。
【００１４】
また、請求項４に係る発明は、請求項３に記載の発明において、前記発行金額選択手段により指定されたプリペイドカードの発行枚数を、最終的な発行枚数として設定する発行枚数設定手段をさらに備えることを特徴とする。
【００１５】
また、請求項５に係る発明は、請求項１から４のいずれか一つに記載の発明において、前記発行金額選択手段により選択されたプリペイドカードの発行金額および前記発行枚数指定手段により指定されたプリペイドカードの発行枚数を、操作にともなって順次表示する表示手段をさらに備えることを特徴とする。
【００１６】
また、請求項６に係る発明は、請求項５に記載の発明において、前記表示手段は、前記発行金額選択手段により選択されたプリペイドカードの発行金額および前記発行枚数指定手段により指定されたプリペイドカードの発行枚数に基づいて、算出した合計発行金額を決済要求金額として表示する機能をさらに備えたことを特徴とする。
【００１７】
【発明の実施の形態】
以下に添付図面を参照して、この発明に係るデビット決済によるプリペイドカード発行システムの好適な実施の形態を詳細に説明する。なお、以下に示す実施の形態では、本発明をパチンコ遊技に適用した場合を示すが、パチンコ遊技のみならずパチスロ遊技、食券販売装置、自動切符販売装置などのプリペイドカードを利用するプリペイドカードシステムにおいても本発明を適用することができる。
【００１８】
（実施の形態１）
図１は、本発明の実施の形態１であるプリペイドカード発行システムの全体構成を示すブロック図である。ここで、本発明のプリペイドカード発行システムでは、記録媒体としてプリペイドカードを適用する。また、デビットカードとしては、銀行や郵便局などで使用するキャッシュカードを適用する。
【００１９】
一般カード（プリペイドカード）は、任意の一般利用客に対して遊技店がその都度発行する紙製などの磁気カードであり、各種の情報が磁気記録および印字してある。具体的には、発行店の識別情報、カード固有の識別コード、発行金額、カードの種別などが磁気記録してあるとともに、発行店名、カード固有識別情報（例えば発行機番号＋連番）、発行金額および有効期限等が目視できるように印字してある。
【００２０】
会員カードは、住所や氏名等の会員情報を登録した会員である利用客に対して遊技店が発行する合成樹脂製のカード（ＪＩＳＩＩ）であり、上述した一般カードと同様、各種情報が磁気記録および印字してある。具体的には、発行店の識別情報や会員コード等の会員識別情報が磁気記録してあるとともに、発行した店コード、会員コード等の情報が印字してあり、記録内容の一部を目視できるようになっている。
【００２１】
また、プリペイドカードおよび会員カードには、それぞれパチンコ玉を借り受ける際の基準となる有価価値、具体的には「度数」と称される有価価値を付与してある。ここで示す「度数」とは、パチンコ玉の貸出処理単位であり、所定のレートで設定してある。一般的には、１度数が１００円に対応し、１度数でパチンコ玉を２５個だけ貸し出すように設定してある。
【００２２】
図１に示すように、本実施の形態１のプリペイドカード発行システムでは、それぞれ「島」と呼ばれるグループごとに複数のパチンコ機２０およびカード処理ユニット３０が並設してあるとともに、各島にカード発行機４０、カード精算機５０などの記録媒体処理装置が適宜設けてある。また、複数のカード発行機４０に対応して、デビット決済処理装置としてデビット子機７０が併設されている。デビット子機７０は、このデビット子機７０と接続されたカード発行機４０と協同し、プリペイドカードの発行に関するデビットカードによる決済処理機能を有する。
【００２３】
カード発行機４０は、プリペイドカードの発行処理、並びに会員カードを受け入れて、この会員カードに関連付けられた度数に対する加算処理を主機能としている。具体的には、カード発行機４０を利用して遊技客が希望する有価価値分のプリペイドカードの発行およびこのプリペイドカード、会員カードに対する追加入金をおこなうことができる。
【００２４】
また、紙幣やデビットカードの利用時において、遊技客により購入希望金額が選択されると、この選択された金額データや発行店、日付、カードを特定する情報を当該カードの磁気ストライプ部に磁気記録し、かつカード表面に金額と表示ＩＤを印字したプリペイドカードを発行することができる。
【００２５】
カード処理ユニット３０は、遊技店に設置された複数のパチンコ機２０それぞれに対して１台ずつペアとなるように用意され、パチンコ機２０の相互間に挟まれる形で設置してある。カード処理ユニット３０は、プリペイドカードや会員カードに関連付けられた残度数を上限とするパチンコ玉の貸し出し処理を主機能とするものである。
【００２６】
このカード処理ユニット３０は、プリペイドカードを挿入するカード挿入口にカードが挿入されると、ターミナルコントローラ１０に問い合わせることにより、そのプリペイドカードに関連付けられた有価価値データを取得し、遊技客によるパチンコ機２０への遊技媒体の貸し出し要求に基づき、有価価値データ（残度数）の範囲内で、遊技媒体を貸し出す処理をおこなう。
【００２７】
パチンコ機２０は、遊技媒体であるパチンコ玉を遊技領域に発射して遊技客が遊技をおこなうものである。カード精算機５０は、プリペイドカードや会員カードに関連付けられた度数を現金として払い戻す処理を主機能とするもので、遊技店内に数台ずつ設置してある。
【００２８】
デビット子機７０は、カード発行機４０に隣接して設置され、かつ当該カード発行機４０と通信路で接続されている。また、このデビット子機７０は、遊技店の店外において、公衆回線網１０００を介して情報処理センタ１００１に接続されている。さらに、この情報処理センタ１００１は、デビットカード発行銀行１０２０、加盟店銀行１０４０のそれぞれのコンピュータとＣＡＦＩＳネットワーク（クリアリングセンタ１０１１を含む）を介して接続されている。このＣＡＦＩＳネットワークを中心とし、更に、情報処理センタ１００１の遊技店内に設置されたデビット子機７０へと継がる部分全体は、デビットカードシステムと称されている。
【００２９】
これらのパチンコ機２０、カード処理ユニット３０、カード発行機４０およびカード精算機５０は、各島内に設けた島コントローラ６０を通じてターミナルコントローラ１０（Ｔ／Ｃ）の制御下にある。すなわち、ターミナルコントローラ１０は、遊技店に少なくとも１台設置してあり、設置した遊技店の統括管理、例えばカード管理、会員の管理、売上管理等をおこなうとともに、上述したように、プリペイドカードおよび会員カード個々の有価価値に関する情報を記憶管理する部分である。ターミナルコントローラ１０は、パチンコ店外のカード会社センタ１０６０の経営コンピュータと公衆回線網により接続されており、この経営コンピュータを用いてターミナルコントローラ１０内のデータを管理できるようになっている。
【００３０】
図２は、ターミナルコントローラ１０の内部構成を示すブロック図である。ターミナルコントローラ１０のＲＡＭ１１は、度数管理テーブルＤＴ等の各種管理情報を格納する部分である。度数管理テーブルＤＴは、プリペイドカードの種別毎に、カードの識別情報と、その度数情報とを対応付けて格納したものである。度数管理テーブルＤＴのカード識別情報とは、会員カードの場合に会員コードに相当し、一般カードの場合にそれぞれの固有識別コードに相当する。
【００３１】
度数管理テーブルＤＴに格納されたそれぞれの度数情報は、通信Ｉ／Ｆ部１２を通じて読み出し要求があった場合にはＣＰＵ１３によって、その都度ＲＡＭ１１から読み出される一方、減算更新要求や加算更新要求があった場合にはＣＰＵ１３によって適宜更新されることになる。ＣＰＵ１３は、ＲＯＭ１４に格納されたプログラムに基づいて上述した各種処理を実現するための部分である。また、１５は、上述した各種管理情報を表示するための表示部、１６は、オペレータが設定をおこなう際に操作する入出力部である。
【００３２】
図３は、実施の形態１に係わる情報処理センタ１００１、デビット子機７０、カード発行機４０の概略構成及び接続態様を示す概念図である。すなわち、図３に示すように、本実施の形態１におけるプリペイドカード発行システムは、プリペイドカードの発行をおこなうカード発行機４０と、デビットカードの受け入れ時に、デビットカードに関連付けられたカード情報を取得するデビット子機７０と、このデビット子機７０により取得したカード情報に基づいてデビット決済処理をおこなう情報処理センタ１００１とを通信により接続することにより構成している。カード発行機４０は、ターミナルコントローラ１０（Ｔ／Ｃ）に接続されている。
【００３３】
デビット子機７０は、カード発行機４０に付設されており、このデビット子機７０は、デビット決済による取引金額や入力操作ガイダンスなどの各種情報を表示する表示部７６、キャッシュカード（デビットカード）の暗証番号や取引金額等を入力する外部操作入力部７７（テンキー）、キャッシュカードを挿入するためのカード挿入／返却口７４、デビット決済によるレシートを発行するレシート排出口７５を備えている。なお、本例ではデビット子機４０とカード発行機７０とを別体として構成しているが、後述するように、カード発行機４０の内部にデビット子機７０のデビット処理機能を備える構成とすることもできる。
【００３４】
カード発行機４０は、プリペイドカードの発行金額を選択する５種類（本例では、１００００円、５０００円、３０００円、２０００円、１０００円）の選択ボタン４７と、この選択ボタン４７により選択された発行金額に応じたプリペイドカードを排出し、発行をおこなう一般カード挿入／発行・返却口４４を備えている。
【００３５】
ここで、本実施の形態１の特徴は、遊技客が希望するプリペイドカードの購入枚数が１枚ではなく複数枚の場合であっても、１回の操作（デビット決済処理）により複数枚のプリペイドカードの発行を可能とすることに特徴がある。このため、カード発行機４０には、プリペイドカードの発行金額を選択する５種類の選択ボタン４７とは別に４種類（×２枚、×３枚、×４枚、×５枚）のまとめ買いを選択できる一括発行ボタン４８を備えており、遊技客は、これら４個の一括発行ボタン４８のうち１個を選択して押下することにより１回の操作で複数枚のプリペイドカードの購入をおこなうことができる。また、後述するように、選択される選択ボタン４７および一括発行ボタン４８の押下に対応して、その都度プリペイドカードの合計金額が表示部４９に表示されるものとなる。
【００３６】
情報処理センタ１００１は、公衆回線網１０００を通じてデビット子機７０に接続され、このデビット子機７０により取得したカード情報に基づいてデビット決済処理をおこなう機能を備えており、さらにはクリアリングセンタ１０１１を含むＣＡＦＩＳネットワーク１０１０、並びに遊技客の口座を有するデビットカード発行銀行１０２０および情報処理センタ１００１の口座を有する加盟店銀行１０４０に接続されている。
【００３７】
以下、図４、５を参照して上述したカード発行機４０およびデビット子機７０の詳細について説明する。図４は、本実施の形態１で適用するカード発行機４０およびデビット子機７０の外観を示した正面図、図５は、これらカード発行機４０およびデビット子機７０の内部構成を示す機能ブロック図である。
【００３８】
すなわち、本実施の形態１では、図４に示すように、カード発行機４０およびデビット子機７０を、それぞれ個別の筐体４１、７１に別々のユニットとして設けてある。また、カード発行機４０の筐体４１およびデビット子機７０の筐体７１は、それぞれの前面に開閉可能な扉体４２、７２を備えて構成しており、各扉体４２、７２は、筐体４１、７１との間に主錠手段４３、７３が設けてあり、閉成した状態で施錠することが可能である。
【００３９】
カード発行機４０は、筐体４１の前面に設けた扉体４２にハンディ収容凹部４２ａ、一般カード挿入／発行・返却口４４、会員カード挿入／返却口４５、紙幣挿入／返却口４６、選択ボタン４７、一括発行ボタン４８、表示部４９、取消ボタン５０、選択完了ボタン５１を備えている。
【００４０】
一般カード挿入／発行・返却口４４は、一般カードＢＣ（プリペイドカード）を受入れてこれを一般カード処理部４０３に取り込む一方、一般カード処理部４０３において所望の処理を施した後の一般カードＢＣを返却、あるいは一般カード処理部４０３で発行処理した一般カードＢＣを発行するための開口である。一般カード処理部４０３は、取り込んだ一般カードＢＣに磁気記録されているカード固有識別情報を読み取り、その読み取り結果を後述の発行制御部４０２に与える処理、並びに一般カードＢＣの発行処理を行う部分である。一般カードＢＣの発行処理では、例えば、予め装填されたロール紙（図示せず）を適宜切断・印字・データ処理し、これを一般カードＢＣとして発行するようにしている。
【００４１】
会員カード挿入／返却口４５は、会員カードＭＣを受け入れてこれを会員カード処理部４０１に取り込む一方、会員カード処理部４０１において所望の処理を施した後の会員カードＭＣを返却するための開口である。会員カード処理部４０１は、取り込んだ会員カードＭＣに磁気記録されている会員識別情報を読み取り、その読み取り結果を後述の発行制御部４０２に与える部分である。
【００４２】
紙幣挿入／返却口４６は、紙幣を受け入れてこれを紙幣処理部４０４に取り込む部分である。紙幣処理部４０４は、取り込まれた紙幣の金種を識別してその識別結果を後述の発行制御部４０２に与えるとともに、識別可能な紙幣を金種別に分類して紙幣回収箱４０５に収納する一方、識別不能な紙幣を返却するための部分である。
【００４３】
選択ボタン４７は５種類（１００００円、５０００円、３０００円、２０００円、１０００円）の発行金額に応じたプリペイドカードを選択し、その押下により指定金額分のプリペイドカードを発行する機能を備えている。一括発行ボタン４８は、４種類（×２枚、×３枚、×４枚、×５枚）の複数枚発行選択によりプリペイドカードの発行を一括して指定する機能を備えている。後述するように、この一括発行ボタン４８の押下を操作することにより１回の操作で複数枚のプリペイドカードの発行をおこなうことができる。選択完了ボタン５１は、選択ボタン４７、一括発行ボタン４８により選択、指定されたカード発行内訳を確認し、設定するボタンである。
【００４４】
表示部４９は、後述の発行制御部４０２から与えられた入力ガイダンスや設定入力ガイダンス等の各種情報を表示するための部分であり、例えば液晶表示器によって構成してある。取消ボタン５０は、一度選択した操作などを一旦取り消すためのボタンである。これら、選択ボタン４７、一括発行ボタン４８、取消ボタン５０、選択完了ボタン５１は、それぞれ外部操作入力部として設けたもので、遊技客によってＯＮ操作された場合に個別の検出信号を後述の発行制御部４０２に与える部分である。
【００４５】
ハンディ収容凹部４２ａは、補助扉体４２ｂによって開閉可能、かつ扉体４２の主錠手段４３とは別個の補助錠手段４２ｃによって施錠可能な凹所である。この補助錠手段４２ｃには、施錠状態にあるか否かを検出するとともに、その検出結果を常時発行制御部４０２に与える施錠検出センサ４０６を設けてある。
【００４６】
上記ハンディ収容凹部４２ａには、ハンディ端末入力機４０７を収容してある。ハンディ端末入力機４０７は、各種機能スイッチやテンキースイッチを備えて構成したもので、内部操作入力部として機能する。このハンディ端末入力機４０７の各種機能スイッチやテンキースイッチがＯＮ操作された場合には、上述した選択ボタン４７や取消ボタン５０と同様に、それぞれ個別の検出信号が後述の発行制御部４０２に与えられることになる。カード発行金額算出部５５は、選択ボタン４７、一括発行ボタン４８により選択、指定されたプリペイドカードの発行金額を集計して算出する機能を有している。
【００４７】
発行制御部４０２は、予め与えられたプログラムや会員カード処理部４０１、一般カード処理部４０３、紙幣処理部４０４、選択ボタン４７、一括発行ボタン４８、取消ボタン５０、施錠検出センサ４０６およびハンディ端末入力機４０７から与えられた情報に基づいて各部の制御を行うための部分である。この発行制御部４０２は、第１通信Ｉ／Ｆ部４０８および第２通信Ｉ／Ｆ部４０９を通じて外部と適宜情報交換することが可能である。
【００４８】
本実施の形態１では、第１通信Ｉ／Ｆ部４０８が、後述する島コントローラ６０を介してターミナルコントローラ１０に接続してある一方、第２通信Ｉ／Ｆ部４０９が、デビット子機７０の第１通信インターフェース部７０４を介して後述のデビット制御部７０２に接続してある。なお、この発行制御部４０２にカード発行金額算出部５５の機能である選択ボタン４７、一括発行ボタン４８により選択、指定されたプリペイドカードの発行金額を算出する機能を備えるようにしてもよい。
【００４９】
デビット子機７０は、筐体７１の前面に設けた扉体７２にデビットカード挿入／返却口７４、レシート排出口７５、表示部７６および外部操作入力部７７（テンキースイッチ）を備えているとともに、扉体７２を開成した場合に露出する部分に内部操作入力部７８を備えている。
【００５０】
デビットカード挿入／返却口７４は、デビットカードＤＣを受け入れてこれをデビットカード処理部７０１に取り込む一方、デビットカード処理部７０１において所望の処理を施した後のデビットカードＤＣを返却するための開口である。デビットカード処理部７０１は、取り込んだデビットカードＤＣに磁気記録されている情報を読み取り、その読み取り結果を後述のデビット制御部７０２に与える部分である。
【００５１】
レシート排出口７５は、印字部７０３において印字処理されたレシートＲＣを排出するための開口である。印字部７０３は、後述のデビット制御部７０２から与えられた情報をレシートＲＣとして印字出力するための部分である。表示部７６は、後述のデビット制御部７０２から与えられた入力ガイダンス等の各種情報を表示するための部分であり、例えば液晶表示器によって構成してある。
【００５２】
外部操作入力部７７は、確認スイッチや取消スイッチ等の各種機能スイッチ、さらにはデビットカードＤＣの暗証番号を入力するためのテンキースイッチを備えて構成したものである。内部操作入力部７８は、係員モードスイッチ７８を備えて構成したものである。これら外部操作入力部７７および内部操作入力部７８がＯＮ操作された場合には、それぞれ個別の検出信号が後述のデビット制御部７０２に与えられることになる。
【００５３】
デビット制御部７０２は、デビットカード処理部７０１、外部操作入力部７７および内部操作入力部７８から与えられた情報に基づいて各部の制御を行う部分である。このデビット制御部７０２は、第１通信Ｉ／Ｆ部７０４および第２通信Ｉ／Ｆ部７０５を通じて外部と適宜情報交換することが可能である。
【００５４】
本実施の形態１では、第１通信Ｉ／Ｆ部７０４が、カード発行機４０の第２通信Ｉ／Ｆ部４０９を介して発行制御部４０２に接続してある一方、第２通信Ｉ／Ｆ部７０５が、公衆回線網１０００を通じて後述するデビットカードシステムの情報処理センタ１００１に接続され、さらには図１に示すように、クリアリングセンタ１０１１を含むＣＡＦＩＳ（Ｃｒｅｄｉｔ  ａｎｄ  Ｆｉｎａｎｃｅ  Ｉｎｆｏｒｍａｔｉｏｎ  Ｓｙｓｔｅｍ）ネットワーク１０１０、並びに遊技客の口座を有するデビットカード発行銀行１０２０および情報処理センタ１００１の口座を有する加盟店銀行１０４０に接続されている。
【００５５】
以下、図６のフローチャートを参照して、本実施の形態１における全体制御処理手順を説明する。この図６に示すフローチャートは、デビット子機７０、カード発行機４０、情報処理センタ１００１との間での処理手順を説明する図である。以下、前記図３および図６を参照しながら、カード発行機４０およびデビット子機７０の動作について説明する。
【００５６】
すなわち、先ず、遊技客がデビット子機７０のカード挿入／排出口７４にキャッシュカードを挿入すると（ステップＳ６１０）、デビット子機７０は、この挿入されたキャッシュカードのカード情報をデビットカード処理部７０１により読み取るとともに（ステップＳ６２０）、表示部７６に暗証番号入力要求表示をおこなった後（ステップＳ６３０）、暗証番号の入力待ちとなる。ここで、取消スイッチがＯＮされると、カード発行機４０に対して取消通知を送信し、その後、デビットカードＤＣは返却される。
【００５７】
次いで、ステップＳ６３０による暗証番号の入力要求を表示部７６での表示により確認した遊技客がデビット子機７０の外部操作入力部７７（テンキー）を使用して暗証番号を入力すると（ステップＳ６４０）、デビット子機７０は、この暗証番号を保持すると共に、カード発行機４０に対して、カード発行操作可（選択入力要求）の旨を送信（通知）する（ステップＳ６５０）。
【００５８】
これに対し、カード発行機４０では、デビット子機７０から通知された信号（カード発行操作可）を受信すると（ステップＳ６６０）、カード発行機４０に設けられている一括発行ボタン４８の点灯（ステップＳ６７０）および選択ボタン４７の点灯（ステップＳ６８０）をそれぞれおこない、以降、点灯させた一括発行ボタン４８、選択ボタン４７ボタンの押下（ＯＮ）が有るか否かを監視する。ここで本例では、先ず、ステップＳ６９０により一括発行ボタン４８の押下が有るか否かの判定をおこなう（ステップＳ６９０）。
【００５９】
そして、この一括発行ボタン４８の押下が有る場合には（ステップＳ６９０肯定）、押下された一括発行ボタン４８の発行指定枚数を記憶した後（ステップＳ７００）、次のプリペイドカードの発行金額を選択する選択ボタン４７の押下選択に移行する（ステップＳ７１０）。一括発行ボタン４８の押下にともなう発行指定枚数の記憶は、発行制御部４０２によりおこなわれる。ここで、ステップＳ６９０の判定に移行する際、表示部４９（図４）には、例えば「プリペイドカードを、まとめて購入する場合には一括発行ボタンを使用してください」などのガイダンス表示がおこなわれるものとする。
【００６０】
前述したように、選択ボタン４７は、５種類（１００００円、５０００円、３０００円、２０００円、１０００円）のうち希望の購入金額を指定して押下により選択することができる。また、一括発行ボタン４８は、４個（×２枚、×３枚、×４枚、×５枚）有り、遊技客は、これら４個の一括発行ボタン４８のうち１個を選択して押下することができる。ここで、例えば、遊技客が１００００円のプリペイドカードを３枚購入する場合を考えると、遊技客は、先ず、「×３」の一括発行ボタン４８を押下し（ステップＳ６９０肯定）、次いで、１００００円の選択ボタン４７を押下することとなる（ステップＳ７１０肯定）。
【００６１】
そして、この遊技客による一括発行ボタン４８および選択ボタン４７の操作により、カード発行機４０は、１００００円のプリペイドカードを１度に３枚発行することができる。具体的には、一括発行ボタン４８の押下により複数枚（「×３」）の発行指定がおこなわ、選択ボタン４７の押下により１００００円のプリペイドカードの発行が指定される。
【００６２】
以下、次のステップＳ７２０により、発行されたプリペイドカードの合計金額が算出される（ステップＳ７２０）。すなわち、このステップＳ７２０によりプリペイドカードの発行金額の合計（選択金額×発行枚数）が算出されるものとなる。具体的には、本例の場合、合計金額は、３００００円（１００００円×３枚）となり、このプリペイドカードの合計金額は、表示部４９に表示されるものとなる。カードの合計金額は、カード発行金額算出部５５により算出される。
【００６３】
ここで、図７（ａ）、（ｂ）は、遊技客によりプリペイドカードの発行金額および発行枚数が選択された際に、表示部４９に表示されるプリペイドカードの発行に関する表示内容の一例を示している。すなわち、図７（ａ）に示すように、表示部４９には、遊技客が選択したプリペイドカードの発行金額（度数）、発行枚数および「選択金額×発行枚数」により算出される合計処理金額が格納されるフィールドとともに、遊技客が選択した購入内訳がそれぞれ表示される。本例では、上述したように１００００円のプリペイドカードを３枚購入するために、「×３」の一括発行ボタン４８および１００００円を選択する選択ボタン４７が押下されたことと、合計金額がが表示される。このように遊技客は、カード発行機４０による操作の都度、この表示部４９に表示された表示内容により発行されるプリペイドカードの内訳を確認することができる。
【００６４】
また、プリペイドカードの発行内訳の表示は、図７（ａ）の画面から図７（ｂ）の画面に切り変わり、この図７（ｂ）に示すように、遊技客が指定したプリペイドカードの発行内訳（発行金額、発行枚数）に対する確認ガイダンスが表示される。図７（ｂ）に示すように、このガイダンスは、例えば「１００００円のプリペイドカードを３枚発行でよろしいですか？」などであり、同図に示すように、この場合の選択内容（取引内容）の取り消しは、取消ボタン５０（図４）によりおこなうことができる。
【００６５】
再度、図６のフローチャートに戻り、ステップＳ７２０以降の説明を継続する。一方、ステップＳ６９０の判定により一括発行ボタン４８の押下がない場合には（ステップＳ６９０否定）、通常の選択ボタン４７の押下に移行する（ステップＳ７１０）。すなわち、選択ボタン４７の押下よりも先に、一括発行ボタン４８の押下がおこなわれた場合には、プリペイドカードの一括発行が指定されるものとなり、一括発行ボタン４８の押下がない場合には、プリペイドカードの発行は通常と同じように１枚が指定されたこととなる。ステップＳ７１０に戻り、この選択ボタン７４の点灯中に、遊技客が点灯している選択ボタン７５のいずれかを押下すると（ステップＳ７１０肯定）、この押下されたプリペイドカードの金額データは、同様にステップＳ７２０により算出され表示部４９に表示されるものとなる。
【００６６】
以下、カード発行機４０は、ステップＳ７２０により算出されたプリペイドカードの金額データを決済依頼要求としてデビット子機７０に通知する（ステップＳ７３０）。本例の場合には、一括発行ボタン４８による指定枚数と選択した選択ボタン４７によるプリペイドカードの金額に基づいて、算出された決済要求金額（３００００円）が、デビット子機７０に対して通知される（ステップＳ７３０）。なお、一括発行ボタン４８の設定（押下）がない場合は、１００００円が決済要求金額となる。
【００６７】
一方、デビット子機７０では、カード発行機４０から通知された決済要求金額（本例では、３００００円）を受信すると、このカード情報（決済要求金額）を情報処理センタ１００１に送信する（ステップＳ７４０）。ここで、情報処理センタ１００１に送信されるカード情報には、決済依頼データであるデビット子機７０の識別ＩＤ、端末処理番号、決済依頼金額（３００００円）などが含まれている。
【００６８】
一方、情報センタ１００１では、デビット子機７０から送信されたキャッシュカードのカード情報を受信すると（ステップＳ７５０）、情報センタ１００１は、クリアリングセンタ１０１１にアクセスし、今回の決済要求にて通知されたＩＤに対応する口座から当該決済要求で通知された金額データ分を引き落とす処理を含む決済処理を開始する（ステップＳ７６０）。
【００６９】
この、決済依頼データが利用制限内（利用制限可）である場合の情報処理センタ１００１での上記決済処理は、例えば、以下の手順で実現できる。すなわち、情報処理センタ１００１では、上記ステップＳ７６０での処理によりデビット子機７０から受信した各種データ（金額データ、カード情報、暗証番号等）を基に、図１に示すＣＡＦＩＳ（Ｃｒｅｄｉｔ  ａｎｄ  Ｆｉｎａｎｃｅ  Ｉｎｆｏｒｍａｔｉｏｎ  Ｓｙｓｔｅｍ）ネットワークのクリアリングセンタ１０１１に決済処理を依頼する。
【００７０】
以下、上記決済依頼を受けたクリアリングセンタ１０１１は、デビットカード発行銀行１０２０、加盟店銀行１０４０間で決済処理をおこない、このうちの即時実行する必要のある処理（例えば、デビットカード発行銀行１０２０での、今回の決済要求にて通知されたカード情報中から抽出したＩＤ）に対応する口座から当該決済要求で通知された引き落とし金額分を引き落とす処理等が終了すると、情報処理センタ１００１に処理終了の通知をおこなう。また、クリアリングセンタ１０１１では、上記口座の残金不足等により決済処理が不可（ＮＧ）の場合には、その旨を情報処理センタ１００１に通知する。
【００７１】
なお、即時実行分以外の決済処理は、予め決められた期間後（例えば、３営業日後）に実施され、最終的に、上記利用料金から上記決済処理により手数料等を差し引かれた代金が加盟店銀行１０４０の情報処理センタ１００１の口座に振り込まれる。その後、この加盟店銀行１０４０の情報処理センタ１００１の口座に振り込まれた代金から情報処理センタ１００１の手数料を差し引いた代金として、△△銀行１０７０にある各遊技店の口座に、カード会社とパチンコ店の取り決めに従い、プリペイドカードの使用度数に応じた代金が振り込まれる。
【００７２】
以下、情報処理センタ１００１は、ステップＳ７６０により処理された決済結果をデビット子機７０に送信する（ステップＳ７７０）。一方、デビット子機７０は、情報処理センタ１００１から送信された決済処理結果（決済の可否）を受信し（ステップＳ７８０）、この決済処理結果（決済の可否）に基づいて決済処理の可否を判定し（ステップＳ８００）、例えば、今回の決済要求にて通知されたＩＤに対応する口座の残額が当該決済要求で通知された金額に満たない（残額不足）等により決済処理がおこなえなかった場合（ステップＳ８００否定）、キャッシュカードを遊技客に返却し（ステップＳ８８０）、処理を終了する（エンド）。
【００７３】
ここで、決済処理がＯＫの場合（ステップＳ８００肯定）、その決済結果をカード発行機４０に通知し（ステップＳ８０５）、カード発行機４０では、デビット子機７０から受信した決済結果通知を基に決済が完了したか否かを判断する（ステップＳ８１０）。
【００７４】
ここで、決済完了であれば（ステップＳ８１０肯定）、カード発行機４０は、それ以前のステップＳ６９０、７１０で押下された一括発行ボタン４８、選択ボタン４７に対応する金額のプリペイドカード（当該金額相当度数の有価データが記憶されたカード）を一般カード挿入／発行口４４から排出し（ステップＳ８２０）、その後、全ての一括発行ボタン４８および選択ボタン４７を消灯状態に制御し（ステップＳ８３０、ステップＳ８４０）、処理を終える（エンド）。また、ステップＳ８１０の判定により決済が完了していなければ（ステップＳ８１０否定）、直ちに全ての全ての一括発行ボタン４８および選択ボタン４７を消灯状態に制御し（ステップＳ８３０、ステップＳ８４０）、会員カードを返却した後、全ての処理を終える（エンド）。
【００７５】
以上のように、本実施の形態１は、この一括発行ボタン４８の押下を操作することにより１回の操作で複数枚のプリペイドカードの発行をおこなうことができるため、デビット決済による手数料を大幅に低減することができ、遊技客の利便性をより向上することができる。また、手数料の低減にともない遊技客による遊技意欲の向上を期待することができるうえ、デビット決済の利用によるプリペイドカードの購入枚数を増大させることができる。
【００７６】
具体的に説明すると、本例の場合、プリペイドカードの発行金額である３００００円に対する手数料は、１回だけのデビット決済による手数料の２１０円であるため、今回のデビット決済にともなう合計金額（引き落とし金額）は、３０２１０円となる。一方、従来の場合での手数料を試算すると、１００００円のプリペイドカードを１枚発行した際には、２００円の手数料が生じていたため、今回のように１００００円のプリペイドカードを３枚発行した際には、３回のデビット決済が必要であるため、この３回のデビット決済による合計金額は３０６００円となることから大幅に手数料を低減することができる。
【００７７】
（実施の形態２）
図８は、本実施の形態２におけるデビット子機７０、カード発行機４０の機能ブロック図である。ここで、本実施の形態２の特徴は、プリペイドカードに対する発行枚数を指定する発行枚数指定機能を選択ボタン４７に備えるとともに、この選択ボタン４７に対する選択回数（押下回数）を記憶する選択回数記憶部５２および選択完了ボタン５２を備えたことにある。この、選択完了ボタン５１は、選択回数記憶部５２に記憶された選択回数が最終的なプリペイドカードの発行枚数および発行金額として設定されたことを確認するボタンである。なお、図８における選択ボタン４７に対する選択回数（押下回数）を記憶する選択回数記憶部５２を設けた特徴部分以外の構成は、図５と同様であるため詳細な説明は省略する。
【００７８】
図９は、本実施の形態２に係る全体制御処理手順を説明するフローチャートである。以下、図９のフローチャートを参照して、デビット子機７０、カード発行機４０、情報処理センタ１００１との間での処理手順を説明する。
【００７９】
すなわち、先ず、遊技客がデビット子機７０のカード挿入／排出口７４にキャッシュカードを挿入すると（ステップＳ６１０）、デビット子機７０は、この挿入されたキャッシュカードのカード情報をデビットカード処理部７０１により読み取るとともに（ステップＳ６２０）、表示部７６に暗証番号入力要求表示をおこなった後（ステップＳ６３０）、暗証番号の入力待ちとなる。
【００８０】
次いで、ステップＳ６３０による暗証番号の入力要求を表示部７６での表示により確認した遊技客がデビット子機７０の外部操作入力部７７（テンキー）を使用して暗証番号を入力すると（ステップＳ６４０）、デビット子機７０は、この暗証番号を保持すると共に、カード発行機４０に対して、カード発行操作可（選択入力要求）の旨を送信（通知）する（ステップＳ６５０）。
【００８１】
これに対し、カード発行機４０では、デビット子機７０から通知された信号（カード発行操作可）を受信すると（ステップＳ６６０）、カード発行機４０に設けられている選択ボタン４７の点灯をおこない、以下、点灯させた選択ボタン４７ボタンの押下（ＯＮ）が有るか否かを監視する（ステップＳ７１０）。そして、このステップＳ７１０により選択ボタン４７の押下があると（ステップＳ７１０肯定）、次いで、選択された選択ボタン４７の種類（ステップＳ７１１）および選択ボタン４７５の押下回数を記憶する（ステップＳ７１２）。選択ボタン４７５の押下回数の記憶は、選択回数記憶部５２によりおこなう。
【００８２】
ここで、例えば、１００００円の選択ボタン７５が２回押下され、５０００円の選択ボタン７５が３回押下された場合には、１００００円のプリペイドカードが２枚、５０００円のプリペイドカードが３枚の発行が選択されたことになる。また、この際、実施の形態１と同様に表示部４９（図４）には選択ボタン７５の選択種類および押下回数に対応して、その都度、合計されたプリペイドカードの発行金額が表示されるものとなる。
【００８３】
ここで、図１０（ａ）、（ｂ）は、遊技客により選択された選択ボタン７５の選択種類および押下回数が設定された際に、表示部４９に表示されるプリペイドカードの発行に関する表示内容の一例を示している。すなわち、図１０（ａ）に示すように、表示部４９には、遊技客が選択したプリペイドカードの発行金額（度数）、選択ボタン４７の押下回数、発行枚数、「選択金額×発行枚数」により算出される合計処理金額が格納されるフィールドとともに、遊技客が選択した購入内訳がそれぞれ表示される。本例では、上述したように１００００円のプリペイドカードを２枚購入するために、１００００円を選択する選択ボタン４７が２回押下され、５０００円を選択する選択ボタン４７が３回押下されたことと、その合計金額が表示される。このように遊技客は、カード発行機４０による操作の都度、この表示部４９に表示された表示内容により発行されるプリペイドカードの内訳を確認することができる。
【００８４】
また、プリペイドカードの発行内訳の表示は、図１０（ａ）の画面から図１０（ｂ）の画面に切り変わり、この図１０（ｂ）に示すように、遊技客が指定したプリペイドカードの発行内訳（発行金額、発行枚数）に対する確認ガイダンスが表示される。図１０（ｂ）に示すように、このガイダンスは、例えば「１００００円のプリペイドカードを２枚、５０００円のプリペイドカードを３枚発行でよろしいですか？」などであり、同図に示すように、この場合の選択内容（取引内容）の取り消しは、取消ボタン５０（図８）によりおこなうことができる。また、遊技客は、表示部４９に表示されたプリペイドカードの種類および発行金額を確認することができ、選択完了ボタン５１の押下により最終的な設定をおこなうことができる。
【００８５】
以下、図９のフローチャートに戻り、ステップＳ７２０により合計金額が算出され、決済金額（３５０００円）としてデビット子機７０に通知される（ステップＳ７３０）。以下、ステップＳ７４０〜ステップＳ８８０までの処理手順をおこなう。このステップステップＳ７４０〜ステップＳ８８０までの処理手順は、前記実施の形態１と同様であるため、細部の説明は省略する。
【００８６】
以上のように、本実施の形態２は、選択ボタン４７の押下回数を記憶することにより１回の操作で複数枚のプリペイドカードの発行をおこなうことができるため、デビット決済による手数料を大幅に低減することができ、遊技客の利便性をより向上することができる。
【００８７】
図１１は、上述したカード発行機とデビット子機とを共通の筐体に収納させて構成したカード発行ユニット５００を示したものである。このカード発行ユニット５００は、筐体の前面に設けた扉体に会員カード挿入／返却口１０１、一般カード挿入／発行・返却口１０２、デビットカード挿入／返却口１０３、レシート排出口１０４、紙幣挿入／返却口１０５、表示部１０６および外部操作入力部１０７を備えているとともに、扉体を開成した場合に露出する部分に内部操作入力部１０８を備えている。
【００８８】
会員カード挿入／返却口１０１は、会員カードＭＣを受け入れてこれを会員カード処理部１１０に取り込む一方、会員カード処理部１１０において所望の処理を施した後の会員カードＭＣを返却するための開口である。会員カード処理部１１０は、取り込んだ会員カードＭＣに磁気記録されている会員識別情報を読み取り、その読み取り結果を後述の主制御部１１１に与える部分である。
【００８９】
一般カード挿入／発行・返却口１０２は、一般カードＢＣを受入れてこれを一般カード処理部１１２に取り込む一方、一般カード処理部１１２において所望の処理を施した後の一般カードＢＣを返却、あるいは一般カード処理部１１２で発行処理した一般カードＢＣを発行するための開口である。一般カード処理部１１２は、取り込んだ一般カードＢＣに磁気記録されているカード固有識別情報を読み取り、その読み取り結果を後述の主制御部１１１に与える処理、並びに一般カードＢＣの発行処理を行う部分である。一般カードＢＣの発行処理では、例えば、予め装填されたロール紙（図示せず）を適宜切断・印字・データ処理し、これを一般カードＢＣとして発行するようにしている。
【００９０】
デビットカード挿入／返却口１０３は、デビットカードＤＣを受け入れてこれをデビットカード処理部１１３に取り込む一方、デビットカード処理部１１３において所望の処理を施した後のデビットカードＤＣを返却するための開口である。デビットカード処理部１１３は、取り込んだデビットカードＤＣに磁気記録されている情報を読み取り、その読み取り結果を後述の主制御部１１１に与える部分である。
【００９１】
レシート排出口１０４は、印字部１１４において印字処理されたレシートＲＣを排出するための開口である。印字部１１４は、後述の主制御部１１１から与えられた情報をレシートＲＣとして印字出力するための部分である。
【００９２】
紙幣挿入／返却口１０５は、紙幣を受け入れてこれを紙幣処理部１１５に取り込む部分である。紙幣処理部１１５は、取り込まれた紙幣の金種を識別してその識別結果を後述の主制御部１１１に与えるとともに、識別可能な紙幣を金種別に分類して紙幣回収箱１１６に収納する一方、識別不能な紙幣を返却するための部分である。
【００９３】
表示部１０６は、後述の主制御部１１１から与えられた入力ガイダンスや設定入力ガイダンス等の各種情報を表示するための部分であり、例えば液晶表示器によって構成してある。
【００９４】
選択ボタン４７は５種類（１００００円、５０００円、３０００円、２０００円、１０００円）の発行金額に応じたプリペイドカードを選択し、その押下により指定金額分のプリペイドカードを発行する機能を備えている。一括発行ボタン４８は、４種類（×２枚、×３枚、×４枚、×５枚）の複数枚発行選択によりプリペイドカードの発行を一括して指定する機能を備えている。実施の形態１と同様、この一括発行ボタン４８の押下を操作することにより１回の操作で複数枚のプリペイドカードの発行をおこなうことができる。
【００９５】
取消ボタン５０は、一度選択した操作などを一旦取り消すためのボタンである。これら、選択ボタン４７、一括発行ボタン４８、取消ボタン５０は、それぞれ外部操作入力部として設けたもので、遊技客によってＯＮ操作された場合に個別の検出信号を後述の発行制御部４０２に与える部分である。また、さらにはデビットカードＤＣの暗証番号を入力するためのテンキースイッチを備えて構成したものである。
【００９６】
内部操作入力部１０８は、係員モードスイッチを備えて構成したものである。これら外部操作入力部１０７および内部操作入力部１０８がＯＮ操作された場合には、それぞれ個別の検出信号が後述の主制御部１１１に与えられることになる。
【００９７】
主制御部１１１は、予め与えられたプログラムや会員カード処理部１１０、一般カード処理部１１２、デビットカード処理部１１３、紙幣処理部１１５、外部操作入力部１０７および内部操作入力部１０８から与えられた情報に基づいて各部の制御を行うための部分である。この主制御部１１１は、第１通信Ｉ／Ｆ部１１７および第２通信Ｉ／Ｆ部１１８を通じて外部と適宜情報交換することが可能である。
【００９８】
具体的には、第１通信Ｉ／Ｆ部１１７が、後述する島コントローラ６０を介してターミナルコントローラ１０に接続してある一方、第２通信Ｉ／Ｆ部１１８が、公衆回線網１０００を通じてデビットカードシステムの情報処理センタ１００１に接続され、さらには図１に示すように、クリアリングセンタ１０１１を含むＣＡＦＩＳネットワーク１０１０、並びに遊技客の口座を有するデビットカード発行銀行１０２０および情報処理センタ１００１の口座を有する加盟店銀行１０４０に接続されている。
【００９９】
以上説明したカード発行機ユニット５００においても、一括発行ボタン４８の押下を操作することにより１回の操作で複数枚のプリペイドカードの発行をおこなうことができるため、デビット決済による手数料を大幅に低減することができ、遊技客の利便性をより向上することができる。
【０１００】
【発明の効果】
以上説明したように、請求項１に係る発明によれば、記録媒体であるプリペイドカードの発行をおこなうプリペイドカード発行機と、デビットカードの受け入れ時に、当該デビットカードに関連付けられたカード情報を読み取るカード情報処理手段を有するとともに、当該カード情報処理手段により取得したカード情報に基づいてデビット決済に係わるデビット決済処理をおこなうデビット決済処理装置とを備えたプリペイドカード発行システムであって、前記プリペイドカード発行機は、プリペイドカードに関連付けられた所定分の有価価値を発行金額として選択可能な発行金額選択手段と、前記プリペイドカードの発行枚数を任意に指定可能な発行枚数指定手段と、前記発行金額選択手段により選択された発行金額および前記発行枚数指定手段により指定された発行枚数に基づいて、前記デビット決済に伴う決済要求金額を算出する決済要求金額算出手段と、を備えたので、遊技客が希望するプリペイドカードの発行枚数が複数の場合であっても、１回のデビット決済により複数枚のプリペイドカードの発行が可能となるため、遊技客に対するデビット決済時に伴う手数料を大幅に低減できることからデビットカードの利便性の向上を図ることができるという効果を奏する。
【０１０１】
また、デビット決済処理にともなう暗証番号の入力も１回の操作で済むため、プリペイドカード発行に係わる操作の簡略化およびセキュリティの観点から有効であるという効果を奏する。さらに、デビット決済の利用によるプリペイドカードの購入がスムーズにおこなえるため、カード発行機での順番待ちなどが緩和され、遊技店における稼動率の低下防止を図ることができることから、遊技店の活性化および売り上げ向上に貢献できるという効果を奏することができる。
【０１０２】
また、請求項２に係る発明によれば、請求項１に記載の発明において、前記発行枚数指定手段は、所定の複数枚数分のプリペイドカードを一括して発行可能な一括発行処理機能を備えているので、簡単な操作により１度に複数枚のプリペイドカードを発行することができるうえ、１度のデビット取引の際に、何度も決済処理に伴う操作をする必要がないため、使い勝手および利便性を向上することができるという効果を奏する。
【０１０３】
また、請求項３に係る発明は、請求項１または２に記載の発明によれば、前記発行金額選択手段は、プリペイドカードに対する発行枚数を指定する発行枚数指定機能をさらに備えるとともに、前記発行金額選択手段に対する選択回数を記憶する選択回数記憶手段をさらに備え、当該選択回数記憶手段に記憶された選択回数を最終的なプリペイドカードの発行枚数として設定するので、簡単な操作により１度に複数枚のプリペイドカードを発行することができるうえ、１度のデビット取引の際に、何度も決済処理に伴う操作をする必要がないため、使い勝手および利便性を向上することができるという効果を奏する。
【０１０４】
また、請求項４に係る発明によれば、前記発行金額選択手段により指定されたプリペイドカードの発行枚数を、最終的な発行枚数として設定する発行枚数設定手段をさらに備えるので、発行枚数設定手段により発行枚数を確実に設定でき操作性を向上できるという効果を奏する。
【０１０５】
また、請求項５に係る発明によれば、請求項１から４のいずれか一つに記載の発明において、前記発行金額選択手段により選択されたプリペイドカードの発行金額および前記発行枚数指定手段により指定されたプリペイドカードの発行枚数を、操作にともなって順次表示する表示手段をさらに備えるので、表示部による表示により選択および指定した発行金額および発行枚数をその都度確認できるため、操作性および利便性を向上できるという効果を奏する。
【０１０６】
また、請求項６に係る発明によれば、請求項５に記載の発明において、前記表示手段は、前記発行金額選択手段により選択されたプリペイドカードの発行金額および前記発行枚数指定手段により指定されたプリペイドカードの発行枚数に基づいて、算出した合計発行金額を決済要求金額として表示する機能をさらに備えたので、表示部による表示により選択および指定した発行金額および発行枚数をその都度確認できるため、操作性および利便性を向上できるという効果を奏する。
【図面の簡単な説明】
【図１】本発明の実施の形態１であるプリペイドカード発行システムの全体構成を示すブロック図である。
【図２】ターミナルコントローラの内部構成を示すブロック図である。
【図３】本実施の形態１に係わる情報処理センタ、デビット子機、カード発行機の概略構成および接続態様を示す説明図である。
【図４】本実施の形態１で適用するカード発行機およびデビット子機の外観を示した正面図である。
【図５】本実施の形態１で適用するカード発行機およびデビット子機の内部構成を示すブロック図である。
【図６】デビット子機、カード発行機、情報処理センタ間で実施される処理内容を示すフローチャートである。
【図７】（ａ）は、表示部に表示されるプリペイドカードの発行内訳、（ｂ）は、ガイダンス内容の一例をそれぞれ示す図である。
【図８】本実施の形態２で適用するカード発行機およびデビット子機の内部構成を示すブロック図である。
【図９】デビット子機、カード発行機、情報処理センタ間で実施される処理内容を示すフローチャートである。
【図１０】（ａ）は、表示部に表示されるプリペイドカードの発行内訳、（ｂ）は、ガイダンス内容の一例をそれぞれ示す図である。
【図１１】カード発行機とデビット子機とを一体に構成したカード発行ユニットの構成を示すブロック図である。
【符号の説明】
１０  ターミナルコントローラ（Ｔ／Ｃ）
１１  ＲＡＭ
１２  通信インターフェース部
１４  ＲＯＭ
２０  パチンコ機
４０  カード発行機
４１  筐体
４２  扉体
４２ａ  ハンディ収容凹部
４２ｂ  補助扉体
４２ｃ  補助錠手段
４３  主錠手段
４４、１０２  一般カード挿入／発行・返却口
４５、１０１  会員カード挿入／返却口
４６、１０５  紙幣挿入／返却口
４７  選択ボタン
４８  一括発行ボタン
４９、７６、１０６  表示部
５０  取消ボタン
５１  選択完了ボタン
５２  選択回数記憶部
５５  カード発行金額算出部
６０  島コントローラ
７０  デビット子機
７１  筐体
７２  扉体
７４、１０３  デビットカード挿入／返却口
７５、１０４  レシート排出口
７７  外部操作入力部
７８  係員モードスイッチ
１１０、４０１  会員カード処理部
１１１  主制御部
１１２、４０３  一般カード処理部
１１３、７０１  デビットカード処理部
１１４  印字部
１１５  紙幣処理部
１１６  紙幣回収箱
１１７、４０８、７０４  第１通信Ｉ／Ｆ部
１１８、４０９、７０５  第２通信Ｉ／Ｆ部
４０２  発行制御部
４０４  紙幣処理部
４０５  紙幣回収箱
４０６  施錠検出センサ
４０７  ハンディ端末入力機
５００  カード発行ユニット
７０２  デビット制御部
７０３  印字部
１０００  公衆回線網
１００１  情報処理センタ
１０１０  ＣＡＦＩＳネットワーク
１０１１  クリアリングセンタ
１０２０  デビットカード発行銀行
１０４０  加盟店銀行
１０６０  カード会社センタ
１０７０  △△銀行
【図１】
2004265316.tif 000003
【図２】
2004265316.tif 000004
【図３】
2004265316.tif 000005
【図４】
2004265316.tif 000006
【図５】
2004265316.tif 000007
【図６】
2004265316.tif 000008
【図７】
2004265316.tif 000009
【図８】
2004265316.tif 000010
【図９】
2004265316.tif 000011
【図１０】
2004265316.tif 000012
【図１１】
2004265316.tif 000013